(57)【要約】【課題】  半導体レーザーの十分な温度抑制を行い、半導体レーザーの良好な特性を確保する。【解決手段】  金属材料によって形成され移動ベース７の厚み方向において貫通した状態で取り付けられると共に固定部２１、２１と接触部１８、１８が設けられた取付体１６、１６と、金属材料によって形成され半導体レーザー２５を保持し取付体の固定部に固定され移動ベースの厚み方向における一方の面側に配置される調整用プレート２４と、金属材料によって形成され移動ベースの厚み方向における他方の面の少なくとも一部を覆うベースカバー２７と、一方の面が取付体の接触部に接触され他方の面がベースカバーに接触される伝熱シート３３、３３とを設け、取付体の移動ベースに対する接触面積より取付体の伝熱シートを介してのベースカバーに対する接触面積を大きくし、ディスク状記録媒体１００の回転に伴って発生しベースカバーに吹き付けられる気流によってベースカバーに伝達される熱を放出するようにした。【選択図】図５
2006099826.tif 000002
【特許請求の範囲】
【請求項１】
ディスクテーブルに装着されるディスク状記録媒体に対して情報信号の記録又は再生を行う光ピックアップであって、
金属材料によって形成されると共にディスクテーブルに装着されたディスク状記録媒体の半径方向へ移動される移動ベースと、
該移動ベースに配置されディスク状記録媒体の記録面へ向けてレーザー光を照射する半導体レーザーと、
金属材料によって形成され移動ベースの厚み方向において貫通した状態で該移動ベースに取り付けられると共に貫通方向における一方の端部に固定部が設けられ他方の端部に接触部が設けられた取付体と、
金属材料によって形成されると共に半導体レーザーを保持し該半導体レーザーの移動ベースに対する位置調整が行われた状態で取付体の固定部に固定され移動ベースの厚み方向における一方の面側に配置される調整用プレートと、
金属材料によって形成され移動ベースの厚み方向における他方の面の少なくとも一部を覆うと共にディスクテーブルに装着されたディスク状記録媒体に対向した位置に配置されるベースカバーと、
一方の面が取付体の接触部に接触され他方の面がベースカバーに接触される伝熱シートとを備え、
取付体の移動ベースに対する接触面積より取付体の伝熱シートを介してのベースカバーに対する接触面積を大きくし、
ディスク状記録媒体の回転に伴って発生しベースカバーに吹き付けられる気流によって該ベースカバーを冷却し、半導体レーザーに発生し調整用プレート、取付体及び伝熱シートを介してベースカバーに伝達される熱を放出するようにした
ことを特徴とする光ピックアップ。
【請求項２】
上記取付体を螺軸部を有する取付部材と該取付部材の螺軸部に螺合されるナット部材とにより構成し、
該ナット部材を上記接触部として用いた
ことを特徴とする請求項１に記載の光ピックアップ。
【請求項３】
上記取付体と移動ベースとの間に、取付体を形成する材料より熱伝導率の低い材料から成るスペーサーを介在させた
ことを特徴とする請求項１に記載の光ピックアップ。
【請求項４】
上記取付体を同一の金属材料によって一体に形成した
ことを特徴とする請求項１に記載の光ピックアップ。
【請求項５】
ディスクテーブルに装着されるディスク状記録媒体に対して情報信号の記録又は再生を行う光ピックアップを備えたディスクドライブ装置であって、
上記光ピックアップは、
金属材料によって形成されると共にディスクテーブルに装着されたディスク状記録媒体の半径方向へ移動される移動ベースと、
該移動ベースに配置されディスク状記録媒体の記録面へ向けてレーザー光を照射する半導体レーザーと、
金属材料によって形成され移動ベースの厚み方向において貫通した状態で該移動ベースに取り付けられると共に貫通方向における一方の端部に固定部が設けられ他方の端部に接触部が設けられた取付体と、
金属材料によって形成されると共に半導体レーザーを保持し該半導体レーザーの移動ベースに対する位置調整が行われた状態で取付体の固定部に固定され移動ベースの厚み方向における一方の面側に配置される調整用プレートと、
金属材料によって形成され移動ベースの厚み方向における他方の面の少なくとも一部を覆うと共にディスクテーブルに装着されたディスク状記録媒体に対向した位置に配置されるベースカバーと、
一方の面が取付体の接触部に接触され他方の面がベースカバーに接触される伝熱シートとを備え、
取付体の移動ベースに対する接触面積より取付体の伝熱シートを介してのベースカバーに対する接触面積を大きくし、
ディスク状記録媒体の回転に伴って発生しベースカバーに吹き付けられる気流によって該ベースカバーを冷却し、半導体レーザーに発生し調整用プレート、取付体及び伝熱シートを介してベースカバーに伝達される熱を放出するようにした
ことを特徴とするディスクドライブ装置。
【請求項６】
上記取付体を螺軸部を有する取付部材と該取付部材の螺軸部に螺合されるナット部材とにより構成し、
該ナット部材を上記接触部として用いた
ことを特徴とする請求項５に記載のディスクドライブ装置。
【請求項７】
上記取付体と移動ベースとの間に、取付体を形成する材料より熱伝導率の低い材料から成るスペーサーを介在させた
ことを特徴とする請求項５に記載のディスクドライブ装置。
【請求項８】
上記取付体を同一の金属材料によって一体に形成した
ことを特徴とする請求項５に記載のディスクドライブ装置。
【発明の詳細な説明】
【技術分野】
【０００１】
本発明は光ピックアップ及びこれを備えたディスクドライブ装置に関する。詳しくは、半導体レーザーに発生する熱をディスク状記録媒体の回転に伴って発生する気流を用いて放出し、半導体レーザーの良好な特性を確保する技術分野に関する。
【背景技術】
【０００２】
光ディスクや光磁気ディスク等のディスク状記録媒体に対して情報信号の記録や再生を行うディスクドライブ装置があり、このようなディスクドライブ装置には、ディスク状記録媒体の半径方向へ移動され該ディスク状記録媒体に対してレーザー光を照射する光ピックアップが設けられている。
【０００３】
光ピックアップはディスク状記録媒体の半径方向へ移動される移動ベースと該移動ベース上に配置された対物レンズ駆動装置と移動ベースに配置された所要の複数の光学部品、例えば、半導体レーザーやフォトダイオード等とを備えている。
【０００４】
このような光ピックアップにあっては、その製造工程において、半導体レーザーの移動ベースに対する位置調整が行われる（例えば、特許文献１参照）。この位置調整は、半導体レーザー（特許文献１においては光集積素子１０）が取り付けられた調整用プレート（特許文献１においては保持部材２３）を移動ベース（特許文献１においてはキャリッジ１１）に対して適宜の方向へ移動させ、半導体レーザーから出射されたレーザー光の光軸が対物レンズの中心に垂直に入射されたときに、調整用プレートを、例えば、半田付けによって移動ベースに固定することにより行う。
【０００５】
一方、半導体レーザーは、その駆動時に発熱し、高温になると特性が劣化するために、発熱による半導体レーザーの温度上昇を抑制することが必要とされる。特許文献１に記載された光ピックアップにあっては、この半導体レーザーの温度上昇の抑制を、半導体レーザーに発生した熱を調整用プレートから移動ベースに伝達させて該移動ベースから放出させることにより行うようにしている。
【０００６】
【特許文献１】特開２０００―１６３７５６号公報
【発明の開示】
【発明が解決しようとする課題】
【０００７】
ところで、近年のディスクドライブ装置の小型化に伴い、ディスクドライブ装置に搭載される光ピックアップも小型化が図られ、ディスクドライブ装置の内部が高温になり易く半導体レーザーからの十分な放熱を行うことが困難な状況となっている。
【０００８】
また、ディスク状記録媒体に対する再生に加え情報信号の記録をも行うディスクドライブ装置にあっては、特に、半導体レーザーの出力を上げる必要が生じ、大きな出力を必要とする半導体レーザーの温度抑制を行うことが一層重要視されている。
【０００９】
このような状況においては、特許文献１に記載されたディスクドライブ装置における方法では、半導体レーザーの温度抑制が不十分となるおそれがある。
【００１０】
そこで、本発明光ピックアップ及びこれを備えたディスクドライブ装置は、上記した問題点を克服し、半導体レーザーの十分な温度抑制を行い、半導体レーザーの良好な特性を確保することを課題とする。
【課題を解決するための手段】
【００１１】
本発明光ピックアップ及びこれを備えたディスクドライブ装置は、上記した課題を解決するために、金属材料によって形成されると共にディスクテーブルに装着されたディスク状記録媒体の半径方向へ移動される移動ベースと、該移動ベースに配置されディスク状記録媒体の記録面へ向けてレーザー光を照射する半導体レーザーと、金属材料によって形成され移動ベースの厚み方向において貫通した状態で該移動ベースに取り付けられると共に貫通方向における一方の端部に固定部が設けられ他方の端部に接触部が設けられた取付体と、金属材料によって形成されると共に半導体レーザーを保持し該半導体レーザーの移動ベースに対する位置調整が行われた状態で取付体の固定部に固定され移動ベースの厚み方向における一方の面側に配置される調整用プレートと、金属材料によって形成され移動ベースの厚み方向における他方の面の少なくとも一部を覆うと共にディスクテーブルに装着されたディスク状記録媒体に対向した位置に配置されるベースカバーと、一方の面が取付体の接触部に接触され他方の面がベースカバーに接触される伝熱シートとを設け、取付体の移動ベースに対する接触面積より取付体の伝熱シートを介してのベースカバーに対する接触面積を大きくし、ディスク状記録媒体の回転に伴って発生しベースカバーに吹き付けられる気流によって該ベースカバーを冷却し、半導体レーザーに発生し調整用プレート、取付体及び伝熱シートを介してベースカバーに伝達される熱を放出するようにしたものである。
【００１２】
従って、本発明光ピックアップ及びこれを備えたディスクドライブ装置にあっては、ディスク状記録媒体の回転に伴って発生する気流によってベースカバーから放熱されて半導体レーザーの温度上昇が抑制される。
【発明の効果】
【００１３】
本発明光ピックアップは、ディスクテーブルに装着されるディスク状記録媒体に対して情報信号の記録又は再生を行う光ピックアップであって、金属材料によって形成されると共にディスクテーブルに装着されたディスク状記録媒体の半径方向へ移動される移動ベースと、該移動ベースに配置されディスク状記録媒体の記録面へ向けてレーザー光を照射する半導体レーザーと、金属材料によって形成され移動ベースの厚み方向において貫通した状態で該移動ベースに取り付けられると共に貫通方向における一方の端部に固定部が設けられ他方の端部に接触部が設けられた取付体と、金属材料によって形成されると共に半導体レーザーを保持し該半導体レーザーの移動ベースに対する位置調整が行われた状態で取付体の固定部に固定され移動ベースの厚み方向における一方の面側に配置される調整用プレートと、金属材料によって形成され移動ベースの厚み方向における他方の面の少なくとも一部を覆うと共にディスクテーブルに装着されたディスク状記録媒体に対向した位置に配置されるベースカバーと、一方の面が取付体の接触部に接触され他方の面がベースカバーに接触される伝熱シートとを備え、取付体の移動ベースに対する接触面積より取付体の伝熱シートを介してのベースカバーに対する接触面積を大きくし、ディスク状記録媒体の回転に伴って発生しベースカバーに吹き付けられる気流によって該ベースカバーを冷却し、半導体レーザーに発生し調整用プレート、取付体及び伝熱シートを介してベースカバーに伝達される熱を放出するようにしたことを特徴とする。
【００１４】
従って、ベースカバーからの放熱性が高く、半導体レーザーの温度抑制効率の向上が図られ半導体レーザーの良好な特性を確保することができる。
【００１５】
請求項２に記載した発明にあっては、上記取付体を螺軸部を有する取付部材と該取付部材の螺軸部に螺合されるナット部材とにより構成し、該ナット部材を上記接触部として用いたので、調整用プレートと取付体が半田付けされており半導体レーザーの修理や交換等が必要となった場合に、ナット部材を取り外しておくことにより、半田コテから半田に伝達される熱がベースカバーに伝達されることがなく、半田が短時間で溶融し半田の取外作業を容易に行うことができる。
【００１６】
また、半田コテを用いた長時間の作業を必要としないため、半田コテから半導体レーザーに大量の熱が伝達されず、半導体レーザーの熱による劣化を防止することができる。
【００１７】
請求項３に記載した発明にあっては、上記取付体と移動ベースとの間に、取付体を形成する材料より熱伝導率の低い材料から成るスペーサーを介在させたので、スペーサーを介して半導体レーザーから移動ベースに伝達される熱量が非常に少なく、半導体レーザーに発生する熱の多くをベースカバーに伝達することができる。
【００１８】
請求項４に記載した発明にあっては、上記取付体を同一の金属材料によって一体に形成したので、半導体レーザーに発生した熱の取付体からベースカバーへの伝達性を向上させることができ、半導体レーザーの温度抑制効率の一層の向上を図ることができる。
【００１９】
本発明ディスクドライブ装置は、ディスクテーブルに装着されるディスク状記録媒体に対して情報信号の記録又は再生を行う光ピックアップを備えたディスクドライブ装置であって、上記光ピックアップは、金属材料によって形成されると共にディスクテーブルに装着されたディスク状記録媒体の半径方向へ移動される移動ベースと、該移動ベースに配置されディスク状記録媒体の記録面へ向けてレーザー光を照射する半導体レーザーと、金属材料によって形成され移動ベースの厚み方向において貫通した状態で該移動ベースに取り付けられると共に貫通方向における一方の端部に固定部が設けられ他方の端部に接触部が設けられた取付体と、金属材料によって形成されると共に半導体レーザーを保持し該半導体レーザーの移動ベースに対する位置調整が行われた状態で取付体の固定部に固定され移動ベースの厚み方向における一方の面側に配置される調整用プレートと、金属材料によって形成され移動ベースの厚み方向における他方の面の少なくとも一部を覆うと共にディスクテーブルに装着されたディスク状記録媒体に対向した位置に配置されるベースカバーと、一方の面が取付体の接触部に接触され他方の面がベースカバーに接触される伝熱シートとを備え、取付体の移動ベースに対する接触面積より取付体の伝熱シートを介してのベースカバーに対する接触面積を大きくし、ディスク状記録媒体の回転に伴って発生しベースカバーに吹き付けられる気流によって該ベースカバーを冷却し、半導体レーザーに発生し調整用プレート、取付体及び伝熱シートを介してベースカバーに伝達される熱を放出するようにしたことを特徴とする。
【００２０】
従って、ベースカバーからの放熱性が高く、半導体レーザーの温度抑制効率の向上が図られ半導体レーザーの良好な特性を確保することができる。
【００２１】
請求項６に記載した発明にあっては、上記取付体を螺軸部を有する取付部材と該取付部材の螺軸部に螺合されるナット部材とにより構成し、該ナット部材を上記接触部として用いたので、調整用プレートと取付体が半田付けされており半導体レーザーの修理や交換等が必要となった場合に、ナット部材を取り外しておくことにより、半田コテから半田に伝達される熱がベースカバーに伝達されることがなく、半田が短時間で溶融し半田の取外作業を容易に行うことができる。
【００２２】
また、半田コテを用いた長時間の作業を必要としないため、半田コテから半導体レーザーに大量の熱が伝達されず、半導体レーザーの熱による劣化を防止することができる。
【００２３】
請求項７に記載した発明にあっては、上記取付体と移動ベースとの間に、取付体を形成する材料より熱伝導率の低い材料から成るスペーサーを介在させたので、スペーサーを介して半導体レーザーから移動ベースに伝達される熱量が非常に少なく、半導体レーザーに発生する熱の多くをベースカバーに伝達することができる。
【００２４】
請求項８に記載した発明にあっては、上記取付体を同一の金属材料によって一体に形成したので、半導体レーザーに発生した熱の取付体からベースカバーへの伝達性を向上させることができ、半導体レーザーの温度抑制効率の一層の向上を図ることができる。
【発明を実施するための最良の形態】
【００２５】
以下に、本発明光ピックアップ及びこれを備えたディスクドライブ装置の最良の形態を添付図面に従って説明する。
【００２６】
ディスクドライブ装置１は、外筐２内に所要の各部材及び各機構が配置されて成り（図１参照）、外筐２には図示しないディスク挿入口が形成されている。
【００２７】
外筐２内には図示しないシャーシが配置され、該シャーシに取り付けられたスピンドルモーターのモーター軸にディスクテーブル３が固定されている。
【００２８】
シャーシには、平行なガイド軸４、４が取り付けられると共に図示しない送りモーターによって回転されるリードスクリュー５が支持されている。
【００２９】
光ピックアップ６は、移動ベース７と該移動ベース７に設けられた所要の光学部品と移動ベース７上に配置された対物レンズ駆動装置８とを有し、移動ベース７の両端部に設けられた軸受部７ａ、７ｂがそれぞれガイド軸４、４に摺動自在に支持されている。移動ベース７は金属材料、例えば、アルミニウムやマグネシウムによって形成されている。
【００３０】
移動ベース７に設けられた図示しないナット部材がリードスクリュー５に螺合され、送りモーターによってリードスクリュー５が回転されると、ナット部材がリードスクリュー５の回転方向へ応じた方向へ送られ、光ピックアップ６がディスクテーブル３に装着されるディスク状記録媒体１００の半径方向へ移動される。
【００３１】
以上のようにして構成されたディスクドライブ装置１において、スピンドルモーターの回転に伴ってディスクテーブル３が回転されると、該ディスクテーブル３に装着されたディスク状記録媒体１００が回転され、同時に、光ピックアップ６がディスク状記録媒体１００の半径方向へ移動されてディスク状記録媒体１００に対する記録動作又は再生動作が行われる。
【００３２】
移動ベース７には、上方に開口された配置凹部９が形成され、該配置凹部９に上記対物レンズ駆動装置８が配置されている（図２参照）。
【００３３】
移動ベース７には、配置凹部９が形成された部分とは異なる部分に下方へ開口された取付凹部１０が形成されている（図２及び図３参照）。取付凹部１０の一部は上下に貫通されて貫通孔１１として形成されている。配置凹部９の底面部には、貫通孔１１を挟んだ反対側の位置に軸挿通孔１０ａ、１０ａが形成されている（図４参照）。
【００３４】
移動ベース７の上面には上方に開口された螺孔７ｃ、７ｃが形成され、側面には側方へ突出された係合突部７ｄ、７ｄが設けられている（図５参照）。
【００３５】
対物レンズ駆動装置８は可動ブロック１２と固定ブロック１３と両者を連結する支持バネ１４、１４、・・・とを備えている（図２参照）。可動ブロック１２には対物レンズ１２ａが配置され、可動ブロック１２は固定ブロック１３に支持バネ１４、１４、・・・を介して中空に保持され固定ブロック１３に対して所定の方向へ移動可能とされている。
【００３６】
可動ブロック１２が固定ブロック１３に対して移動されることにより、対物レンズ１２ａがディスク状記録媒体１００に離接する方向であるフォーカシング方向及びディスク状記録媒体１００の略半径方向であるトラッキング方向に変位され、対物レンズ１２ａを介してディスク状記録媒体１００の記録面に照射されるレーザー光のスポットが記録面に集光されると共に記録トラックに追従される。
【００３７】
固定ブロック１３は固定板１５を介して移動ベース７に固定されている（図２参照）。
【００３８】
移動ベース７の取付凹部１０には取付体１６、１６が取り付けられる（図３乃至図５参照）。取付体１６は取付部材１７とナット部材１８とから成る。
【００３９】
取付部材１７はフランジ部１９と該フランジ部１９から上方へ突出された螺軸部２０とフランジ部１９から下方へ突出された固定部２１とが熱伝導性の高い金属材料、例えば、真鍮や銅によって一体に形成されている。螺軸部２０はフランジ部１９の径より小さくされ、固定部２１は扁平な略矩形状に形成されている。
【００４０】
ナット部材１８は熱伝導性の高い金属材料、例えば、真鍮によって形成されている。ナット部材１８は螺軸部２０に螺合され、後述するベースカバーに伝熱シートを介して接触する接触部として機能する。
【００４１】
取付部材１７、１７は、図４に示すように、螺軸部２０、２０がそれぞれ取付凹部１０の軸挿通孔１０ａ、１０ａに下方から挿通され移動ベース７とフランジ部１９、１９との間にそれぞれ第１のスペーサー２２、２２が配置された状態で、螺軸部２０、２０にそれぞれナット部材１８、１８が螺合されることにより取付凹部１０に取り付けられる。このときナット部材１８、１８と移動ベース７との間には、それぞれ第２のスペーサー２３、２３が配置される。
【００４２】
第１のスペーサー２２、２２及び第２のスペーサー２３、２３は、例えば、ワッシャであり、例えば、ステンレス鋼等の熱伝導性の低い材料によって形成されている。また、第２のスペーサー２３、２３の外径はナット部材１８、１８の外径より小さくされている。
【００４３】
取付部材１７、１７には調整用プレート２４が固定される（図３及び図４参照）。
【００４４】
調整用プレート２４は熱伝導性の高い板状の金属材料、例えば、アルミニウムや亜鉛によって所定の形状に加工されて成り、最大の面積を有し一方向に長い上下方向を向く基部２４ａと、該基部２４ａの長手方向における中央部の側縁から直交する方向へ突出された保持部２４ｂと、基部２４ａの長手方向における両端部からそれぞれ保持部２４ｂと同じ直交する方向へ突出された被固定部２４ｃ、２４ｃとから成る。
【００４５】
調整用プレート２４の保持部２４ｂには半導体レーザー２５が取り付けられて保持されている。
【００４６】
光ピックアップ６にあっては、半導体レーザー２５の移動ベース７に対する位置調整、即ち、発光点位置調整が行われる。この発光点位置調整は、半導体レーザー２５が取り付けられた調整用プレート２４を図示しない位置調整用治具で把持し、該位置調整用治具を必要な方向へ移動し、半導体レーザー２５から出射されたレーザー光の光軸が対物レンズ１２ａの中心に垂直に入射されるように行う。
【００４７】
上記した発光点位置調整が完了すると、調整用プレート２４が取付体１６、１６に固定される。調整用プレート２４の取付体１６、１６への固定は、例えば、半田２６、２６によって被固定部２４ｃ、２４ｃと固定部２１、２１がそれぞれ接続されることにより行われる。
【００４８】
移動ベース７にはベースカバー２７が取り付けられる（図２及び図５参照）。ベースカバー２７は熱伝導性の高い金属材料、例えば、リン青銅によって形成されている。
【００４９】
ベースカバー２７は、最大の面積を有し上下方向を向く閉塞面部２８と、該閉塞面部２８の側縁から下方へ突出された係合片部２９、２９と、閉塞面部２８の側縁から下方又は斜め下方へ突出された押さえ片部３０、３０、３０と、閉塞面部２８の側縁から側方へ突出された取付片部３１とから成る。
【００５０】
閉塞面部２８は、その一部が２カ所切り欠かれ、この切り欠かれた内側の部分が僅かに斜め下方へ突出するように折り曲げられて押さえバネ部２８ａ、２８ａとして形成されている。閉塞面部２８の所定の位置にはネジ挿通孔２８ｂが形成されている。
【００５１】
係合片部２９、２９にはそれぞれ係合孔２９ａ、２９ａが形成されている。
【００５２】
取付片部３１にはネジ挿通孔３１ａが形成されている。
【００５３】
ベースカバー２７は、係合片部２９、２９の係合孔２９ａ、２９ａにそれぞれ係合突部７ｄ、７ｄが係合され、閉塞面部２８のネジ挿通孔２８ｂと取付片部３１のネジ挿通孔３１ａをそれぞれ挿通されたネジ部材３２、３２が螺孔７ｃ、７ｃに螺合されることにより移動ベース７に取り付けられ、該移動ベース７の一部を閉塞する。
【００５４】
ベースカバー２７が移動ベース７に取り付けられた状態においては、押さえ片部３０、３０、３０によって移動ベース７の上面又は側面が押さえられる。このとき閉塞面部２８の押さえバネ部２８ａ、２８ａは、それぞれ取付体１６、１６の取付部材１７、１７の上面及びナット部材１８、１８の上面に伝熱シート３３、３３を介して接触される（図３及び図４参照）。従って、閉塞面部２８の押さえバネ部２８ａ、２８ａによって伝熱シート３３、３３が取付部材１７、１７の上面及びナット部材１８、１８の上面に押し付けられる。
【００５５】
このように閉塞面部２８の押さえバネ部２８ａ、２８ａによって伝熱シート３３、３３が取付部材１７、１７の上面及びナット部材１８、１８の上面に押し付けられるため、閉塞面部２８と取付部材１７、１７の上面及びナット部材１８、１８の上面との伝熱シート３３、３３を介しての良好な接続性を確保することができる。
【００５６】
伝熱シート３３、３３は、グラファイトシート等と称される熱伝導性及び密着性が高い熱伝導体であり、取付体１６、１６に半導体レーザー２５から伝達される熱をベースカバー２７に伝達する役割を果たす。
【００５７】
以上のようにして構成された光ピックアップ６において、ディスクテーブル３にディスク状記録媒体１００が装着されると、上記したように、スピンドルモーターの回転に伴ってディスクテーブル３が回転されると、該ディスクテーブル３に装着されたディスク状記録媒体１００が回転され、同時に、光ピックアップ６がディスク状記録媒体１００の半径方向へ移動される。
【００５８】
このとき半導体レーザー２５からディスク状記録媒体１００の記録面へ向けてレーザー光が発光され、ディスク状記録媒体１００の記録面で反射されたレーザー光が戻り光として受光され、ディスク状記録媒体１００に対する情報信号の記録又は再生が行われる。
【００５９】
半導体レーザー２５からレーザー光が発光されると、半導体レーザー２５に熱が発生する。発生した熱は、図４に矢印で示すように、半導体レーザー２５から、順に、調整用プレート２４、半田２６、２６、取付体１６、１６、伝熱シート３３、３３及びベースカバー２７まで伝達され、該ベースカバー２７から放出される。半導体レーザー２５に発生した熱は取付体１６、１６から移動ベース７にも伝達されるが、取付体１６、１６と移動ベース７との接触は、取付部材１７、１７と移動ベース７の軸挿通孔１０ａ、１０ａとによる線接触のみであるため、移動ベース７に伝達される熱量はベースカバー２７に伝達される熱量に比して非常に少ない。また、取付体１６、１６と移動ベース７とは、両者の間に配置された第１のスペーサー２２、２２及び第２のスペーサー２３、２３を介して接触されるが、上記したように、第１のスペーサー２２、２２及び第２のスペーサー２３、２３は熱伝導性の低い材料によって形成されているため、第１のスペーサー２２、２２又は第２のスペーサー２３、２３を介して半導体レーザー２５から移動ベース７に伝達される熱量は非常に少なく、半導体レーザー２５に発生する熱の多くをベースカバー２７に伝達することができる。
【００６０】
このとき、ディスク状記録媒体１００の回転により該ディスク状記録媒体１００と光ピックアップ６との間に気流が発生し、この気流が光ピックアップ６のベースカバー２７に吹き付けられ、該ベースカバー２７が冷却される（図６参照）。従って、ディスク状記録媒体１００の回転により発生した気流によって、ベースカバー２７からの放熱性が向上する。
【００６１】
以上に記載した通り、ディスクドライブ装置１にあっては、半導体レーザー２５に発生した熱を伝熱シート３３、３３を介してベースカバー２７に伝達し、ディスク状記録媒体１００の回転に伴って発生しベースカバー２７に吹き付けられる気流によってベースカバー２７が冷却されるようにしているため、ベースカバー２７からの放熱性が高く、半導体レーザー２５の温度抑制効率の向上が図られ半導体レーザー２５の良好な特性を確保することができる。
【００６２】
また、半導体レーザー２５の修理や交換等が必要となった場合には、半田２６、２６を半田コテによって溶融する必要があるが、このときナット部材１８、１８を取付部材１７、１７から取り外しておくことにより、半田コテから半田２６、２６に伝達される熱がベースカバー２７に伝達されることがなく、半田２６、２６が短時間で溶融し半田２６、２６の取外作業を容易に行うことができる。また、半田コテを用いた長時間の作業を必要としないため、半田コテから半導体レーザー２５に大量の熱が伝達されず、半導体レーザー２５の熱による劣化を防止することができる。
【００６３】
さらに、調整用プレート２４と取付体１６、１６との半田２６、２６による接続作業は、移動ベース７からベースカバー２７を取り外した状態で行うことができるため、半田コテから半田２６、２６に伝達される熱がベースカバー２７に伝達されることがなく、半田２６、２６が短時間で溶融し接続作業を容易に行うことができる。また、半田コテを用いた長時間の作業を必要としないため、半田コテから半導体レーザー２５に大量の熱が伝達されず、半導体レーザー２５の熱による劣化を防止することができる。
【００６４】
上記には、取付体の例として取付部材１７、１７とナット部材１８、１８とから構成されるものを示したが、取付体として、以下に示す取付体３４、３４のように、各部を一体に形成したものを用いてもよい（図７乃至図９参照）。
【００６５】
取付体３４は、図７に示すように、上下に延びる挿通部３５と、該挿通部３５の上下両端部にそれぞれ設けられた接触部３６及び固定部３７とから成り、挿通部３５には側方に貫通された螺孔部３５ａが形成されている。
【００６６】
取付体３４、３４は移動ベース７の軸挿通孔１０ａ、１０ａをそれぞれ挿通され、固定部３７、３７が調整用プレート２４の被固定部２４ｃ、２４ｃと半田付けされ、接触部３６、３６が伝熱シート３３、３３を介してベースカバー２７と接続される。
【００６７】
取付体３４、３４の移動ベース７への取付は、図８に示すように、移動ベース７に側方に貫通されたネジ挿通孔７ｅ、７ｅを形成し、該ネジ挿通孔７ｅ、７ｅを挿通されたネジ部材３８、３８を挿通部３５、３５の螺孔部３５ａ、３５ａにそれぞれ螺合することにより行う。
【００６８】
このとき、図９に示すように、移動ベース７に上下に延び挿通部３５、３５側に突出された突条部７ｆ、７ｆを設けて該突条部７ｆ、７ｆと挿通部３５、３５を接触させる。このように突条部７ｆ、７ｆと挿通部３５、３５を接触させることにより、移動ベース７と取付体３４、３４との接触面積が小さくなり、半導体レーザー２５に発生し取付体３４、３４から移動ベース７に伝達される熱量を小さくすることができる。
【００６９】
上記のような各部が一体に形成された取付体３４、３４を用いることにより、半導体レーザー２５に発生した熱の取付体３４、３４からベースカバー２７への伝達性を向上させることができ、半導体レーザー２５の温度抑制効率の一層の向上を図ることができる。
【００７０】
上記した最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【００７１】
【図１】図２乃至図９と共に本発明を実施するための最良の形態を示すものであり、本図はディスクドライブ装置の概略斜視図である。
【図２】光ピックアップの拡大平面図である。
【図３】半導体レーザーが移動ベースに配置された状態をベースカバーを取り外して示す拡大斜視図である。
【図４】要部の拡大断面図である。
【図５】光ピックアップの一部を示す拡大分解斜視図である。
【図６】ディスク状記録媒体の回転時に発生する気流がベースカバーに吹き付けられている状態を示す概略側面図である。
【図７】別の取付体をネジ部材とともに示す拡大斜視図である。
【図８】別の取付体の移動ベースへの取付状態を一部を断面にして示す拡大垂直断面図である。
【図９】別の取付体の移動ベースへの取付状態を一部を断面にして示す拡大水平断面図である。
【符号の説明】
【００７２】
１００…ディスク状記録媒体、１…ディスクドライブ装置、３…ディスクテーブル、６…光ピックアップ、７…移動ベース、１６…取付体、１７…取付部材、１８…ナット部材（接触部）、２０…螺軸部、２１…固定部、２２…第１のスペーサー、２３…第２のスペーサー、２４…調整用プレート、２５…半導体レーザー、２７…ベースカバー、３３…伝熱シート、３４…取付体、３６…接触部、３７…固定部
【図１】
2006099826.tif 000003
【図２】
2006099826.tif 000004
【図３】
2006099826.tif 000005
【図４】
2006099826.tif 000006
【図５】
2006099826.tif 000007
【図６】
2006099826.tif 000008
【図７】
2006099826.tif 000009
【図８】
2006099826.tif 000010
【図９】
2006099826.tif 000011